(57)【要約】      （修正有）【課題】エレベータの戸閉装置において、敷居上面を平らなバリアフリーにして身障者や年寄りに優しいエレベータを得る。【解決手段】戸の下端の脚ガイドの代わりにガイドシュー３ａ、戸袋部分の敷居上面に固定ガイドレール２ａを備え、ガイドシュー３ａに嵌まり、出入口部分は可動式ガイドレール５ａ〜５ｃが戸閉に合わせて敷居溝２ｄより突出し戸のガイドシュー３ａに嵌まり戸がガイドされるように構成した。また戸全開時は可動式ガイドレール５ａ〜５ｃは敷居溝２ｄ内に引込み、その上面は敷居上面と面一でバリアフリーな敷居２となるように構成した。【選択図】図４
2006240820.tif 000002
【特許請求の範囲】
【請求項１】
複数の戸とハンガーローラとレールと戸閉駆動装置を備えたエレベータ戸閉装置において、敷居上面に突出する可動ガイドレールとそれに対向するガイドシューを戸下端に備えたことを特徴とする敷居ガイド装置。
【請求項２】
前記敷居ガイド装置の戸袋部分は固定式のガイドレールを敷居上面に備え、前記戸下端の前記ガイドシューの少なくとも１つに嵌まることを特徴とする請求項１に記載の敷居ガイド装置。
【請求項３】
前記敷居ガイド装置の前記可動ガイドレールは戸開中は敷居溝内に収納され、その上面は敷居上面と略同一であることを特徴とする請求項１、または請求項２に記載の敷居ガイド装置。
【請求項４】
前記敷居ガイド装置の前記可動ガイドレールは薄く形成され、敷居溝はそれに少しの摺動余裕を加えた溝幅をもつことを特徴とする請求項１から請求項３のいずれかに記載の敷居ガイド装置。
【請求項５】
前記敷居ガイド装置の前記可動ガイドレールを収納する溝は前記可動ガイドレールのない部分は塞ぎ片で塞がれていることを特徴とする請求項１から請求項４のいずれかに記載の敷居ガイド装置。
【請求項６】
前記敷居ガイド装置の敷居上面に突出する前記可動ガイドレールは複数に分割されそれぞれリンク支持され押さえバネにより溝内に収納されているが、戸閉時戸から出した腕の先に備えたローラ付カムの通過により、前記可動ガイドレールは戸先端通過に合わせてカムにより押し上げられ敷居上面に突出することを特徴とする請求項１から請求項５のいずれかに記載の敷居ガイド装置。
【請求項７】
前記敷居ガイド装置の敷居上面に突出する前記可動ガイドレールは複数に分割されそれぞれリンク支持され、アクチュエータにより、それぞれの前記可動ガイドレールが戸閉時戸先端通過に合わせて前記可動ガイドレールが敷居上面に突出することを特徴とする請求項１から請求項６のいずれかに記載の敷居ガイド装置。
【請求項８】
前記アクチュエータはモータと油圧ポンプを組合わせた油圧パワーユニットを備え、油圧により前記アクチュエータを作動させる構成としたことを特徴とする請求項１から請求項７のいずれかに記載の敷居ガイド装置。
【請求項９】
前記アクチュエータはモータと減速機を組合わせた作動機構としたことを特徴とする請求項１から請求項８のいずれかに記載の敷居ガイド装置。
【請求項１０】
前記敷居ガイド装置の戸先端通過はそれぞれの位置にセンサーを備え、その位置検出により、その指令を基にモータを作動させ前記可動ガイドレールを敷居上面に突出させる構成としたことを特徴とする請求項１から請求項９のいずれかに記載の敷居ガイド装置。
【発明の詳細な説明】
【技術分野】
【０００１】
この発明はエレベータの吊戸下端のガイドに関する技術である。
【背景技術】
【０００２】
最近世の中は老齢者の人口が増加している、そのため老人や身障者に優しいバリヤフリー化が進んでいる。エレベータにおいても操作し易い釦や身障者に優しい戸閉装置や音声ガイドにより気配りされたものがある。戸の敷居についても敷居溝に躓く惧れがあることから敷居溝のないものが要求される。
【０００３】
【特許文献１】特開平１１−２４０６８３３号公報（第１、２図）
【特許文献２】特開２００２−１２０９８７号公報（第１図）
【特許文献３】特開２００３−４８６８２号公報（第１、２、３図）
【発明の開示】
【発明が解決しようとする課題】
【０００４】
前記特許文献１に示すものは従来の一般に広く使われている戸の脚と敷居溝のを組み合わせた戸のガイド方式の例である。これは敷居上面に戸の脚のガイド溝があるため身障者やお歳寄りには躓く惧れがあるという問題があつた。
前記特許文献２、３に示すものは前項の問題点を解決するためになされたもので敷居の溝を帯状部材で塞ぐ構成としたものである。
しかし、帯状部材に繰り返し曲げ応力が掛かるため帯状部材の寿命が短いという問題があつた。
【課題を解決するための手段】
【０００５】
この発明は、かかる問題点を解決するためになされたもので、複数の戸とハンガーローラとレールと駆動装置とリンク、または伝動ロープ式駆動装置を備えたエレベータ戸閉装置において戸袋部分は固定式のガイドレールを備え、出入口部分は戸の動きに連動し敷居溝から可動式のガイドレールを突出させて逐一戸をガイドさせるようにしたものである。
【発明の効果】
【０００６】
従つて戸が開いているときは出入り口の敷居上面は平滑になり躓く惧れをなくすことができバリアフリーを得ることができる。
【発明を実施するための最良の形態】
【０００７】
実施の形態１
図１はこの発明の実施例１のかご戸閉装置の戸下端の正面図で戸全開時を示す、図２は図１相当の図で戸半開時を示す、図３は図１，２相当の図で戸全閉時を示す、図４は戸下端のガイドシューと敷居の可動ガイドレールを示す断面図であり可動ガイドレールが敷居に引込まれた状態を示す、図５は図４相当の図で可動ガイドレールが敷居上面より突出した状態を示す、図６は戸下端のガイドシューを示す斜視図である。図において１はかご、２は敷居、２ａは戸袋部分の固定ガイドレール、２ｂはカムローラ受け、２ｃは敷居カバー、２ｄは敷居溝、２ｅは使わない溝部の塞ぎ片、３は高速の戸、３ａはガイドシュー、３ｂはガイドシュー溝、３ｃは逃げ溝、４は低速の戸、５ａから５ｃは可動ガイドレール、５ｄ、５ｅはリンク、５ｆは油圧アクチュエータ、５ｇは腕部、５ｈはピン、６は戻しバネ、７はカム取付腕、８はカム、８ａはコロである。 
【０００８】
本例では２枚戸片開方式に実施した例を示し、まず戸袋部分の敷居上面に固定ガイドレール２ａを取付けそれに対向するガイドシュー３ａを戸下端に備えそれによって戸はガイドされる、しかし高速の戸は戸閉時戸袋の固定ガイドレールから離れるため不安定となる。
そこで戸に取付けた敷居下に回り込む腕７に備えたカム８とローラ８ａにより可動ガイドレール５ａを押し上げる構成とし、戸先端が各ガイドレールを通過と同時に敷居上面から可動ガイドレールが突出するようにした、これにより戸下端のガイドシューに各可動ガイドレールが嵌まるので戸はガイドされることとなる。
【０００９】
従つて戸が開いているときは敷居上面と可動ガイドレールの上面が略同一面となり、出入り口の敷居上面は平滑になり躓く惧れをなくすことができる。
【００１０】
実施の形態２．
図７はこの発明の実施例２の図２相当のかごの戸下部の正面図、図８は図７可動ガイドレールの斜視図である。  本例では可動ガイドレールを図示は省略したモータと油圧ポンプとタンクからなる油圧パワーユニットから油圧配管されたアクチュエータにより、それぞれの可動ガイドレールが戸閉に合わせてそれぞれ戸先端通過を図示は省略したセンサーにより検出し、その指令に合わせて可動ガイドレールが敷居上面に突出するように構成したものである。
【００１１】
これにより前項と同様に戸の厚み方向の振れを押さえる効果があり、敷居上面は面一でありバリアフリーの敷居を得ることができる。
【００１２】
実施の形態３．
図９は図７相当の図、図１０は図８相当の図である。本例では前項の他の実施例を示し可動ガイドレールのリンク機構を簡素化したもので、可動ガイドレールに腕５ｇ部を長く構成し直接ピン５ｈで支持し前項と同様に油圧装置と戸の位置センサーの指令で作動するようにしたものである。
【００１３】
この発明は、以上に説明したように構成されているので、以下に記載されるような効果を奏する。
エレベータの戸が開いている時は敷居溝は可動ガイドレールで塞がれ、可動ガイドレールの無い部分は塞ぎ片で塞がれている、従って敷居上面は平となる、戸閉に合わせて戸は突出する可動ガイドレールで逐一ガイドされるので戸の厚み方向に振れることはない。
【００１４】
また敷居溝の可動ガイドレール部の上面は敷居上面と面一であるが、この部分の溝とガイドの隙間が刻みのローレツト加工と同じ状態となり滑り止めの効果も得ることができる。
以上のことからエレベータのバリアフリー化ができる。
【００１５】
また実施例１から３で説明したのはかご側の戸閉め装置に使用した例であるが、乗り場戸閉め装置にも同様に適用できる。実施例では２枚戸片開き方式に適用して低速の戸には可動ガイドレールを図示しなかつたが高速の戸と同様に低速の戸にも取付けることができる。またその他２枚戸中央開戸、３枚戸片開戸、４枚戸中央開戸にも適用できる。
【００１６】
また実施例２，３では油圧駆動装置で可動ガイドレールを作動させたがその他に空圧駆動装置やモータと減速器を組合わせた駆動方式でも良いのは言うまでもない。
【図面の簡単な説明】
【００１７】
【図１】この発明の実施例１のかご戸閉装置の戸下端の正面図で戸全開時を示す。
【図２】図１相当の図で戸半開時を示す。
【図３】図１，２相当の図で戸全閉時を示す。
【図４】戸下端のガイドシューと敷居の可動ガイドレールを示す断面図であり可動ガイドレールが敷居に引込まれた状態を示す。
【図５】図４相当の図で可動ガイドレールが敷居より突出した状態を示す。
【図６】戸下端のガイドを示す斜視図。
【図７】この発明の実施例２の図２相当のかごの戸下部の正面図。
【図８】可動ガイドレールの斜視図。
【図９】図７相当の図。
【図１０】図８相当の図。
【図１１】特許文献１に示す従来のかごの戸と戸の脚と敷居の関係を示す斜視図。
【符号の説明】
【００１８】
１  かご
２  敷居
２ａ  戸袋部分の固定ガイドレール
２ｂ  カムローラ受け
２ｃ  敷居カバー
２ｄ  敷居溝
２ｅ  使わない溝部の塞ぎ片
３  高速の戸
３ａ  ガイドシューあ
３ｂ  溝
３ｃ  逃げ溝
４  低速の戸
５ａ〜５ｃ  可動ガイドレール
５ｄ、５ｅ  リンク
５ｆ  油圧アクチュエータ
５ｇ  腕部
５ｈ  ピン
６  戻しバネ
７  カム取付腕
８  カム
８ａ  コロ
【図１】
2006240820.tif 000003
【図２】
2006240820.tif 000004
【図３】
2006240820.tif 000005
【図４】
2006240820.tif 000006
【図５】
2006240820.tif 000007
【図６】
2006240820.tif 000008
【図７】
2006240820.tif 000009
【図８】
2006240820.tif 000010
【図９】
2006240820.tif 000011
【図１０】
2006240820.tif 000012
【図１１】
2006240820.tif 000013